(57)【要約】【課題】  長期的に畳の新鮮な色調を保つことができるとともに、表面の汚れを容易に除去することができ、耐久性のある畳表材を提供することである。【解決手段】  畳表材１は、芯材層として中芯布地（または下地布地）１１と、中芯布地１１の下に固着されたゴム材層としてゴムシート１４と、中芯布地１１の上に固着されたパイル材層１３とを備える。【選択図】        図１
2006274784.tif 000002
【特許請求の範囲】
【請求項１】
芯材層と、
前記芯材層の上に固着されたパイル材層とを備えた、畳表材。
【請求項２】
前記芯材層の下に固着されたゴム材層をさらに備える、請求項１に記載の畳表材。
【請求項３】
前記パイル材層の表面上に形成された印刷層をさらに備える、請求項１または請求項２に記載の畳表材。
【請求項４】
前記パイル材層の表面は凹凸面を有する、請求項１または請求項２に記載の畳表材。
【発明の詳細な説明】
【技術分野】
【０００１】
この発明は、畳表材に関するものである。
【背景技術】
【０００２】
畳の製作において、通常、天然い草からなる畳表、またはプラスチック製や紙製の畳表を畳床の表面に張り付ける。たとえば、特開２００１−２２７１４２号公報（特許文献１）には、人工畳の構成が提案されている。
【０００３】
この人工畳は、プラスチック製人工い草を含む畳表と、プラスチック製芯材およびこの芯材の上下に配置したプラスチック製保護シートを含む畳床とを含み、かつ、非吸水性を有している。
【特許文献１】特開２００１−２２７１４２号公報
【発明の開示】
【発明が解決しようとする課題】
【０００４】
しかしながら、従来の天然い草からなる畳表では、時間の経過とともに表面の青緑色が抜け、茶褐色に変化し、新鮮味を長期的に保つことができないという問題がある。
【０００５】
また、天然い草からなる畳表、またはプラスチック製や紙製の畳表では、色素を含む液状のものをこぼす等により、表面を汚した場合、汚れを除去することが困難であり、シミ等が残るという問題がある。汚れを除去するために丸洗いするができるように、上記公報で提案されているように畳全体が非吸水性を有するように畳表と畳床が構成されている。
【０００６】
さらに、天然い草からなる畳表、またはプラスチック製や紙製の畳表では、使用年数を重ねるにつれて表面に自然劣化が生じるため、畳表を取り替える必要がある。
【０００７】
そこで、この発明の目的は、長期的に畳の新鮮な色調を保つことができるとともに、表面の汚れを容易に除去することができ、耐久性のある畳表材を提供することである。
【課題を解決するための手段】
【０００８】
この発明に従った畳表材は、芯材層と、芯材層の上に固着されたパイル材層とを備える。
【０００９】
この発明に従った畳表材においては、パイル材層の素材であるパイル自体を色染めしたり、または、植毛したパイル材層（原料自体の地色）の表面に印刷したり、植毛したパイル材層の表面に凹凸をつけることにより、畳表柄を含む種々の柄を施して、長期的に畳の新鮮な色調を保つことができる。
【００１０】
また、温水を含ませたタオル等でパイル材層の表面をこすることにより、表面の汚れを容易に除去することができる。
【００１１】
さらに、パイル材層は、従来のような自然劣化が起こり難いので、本発明の畳表材は耐久性を有する。
【００１２】
また、この発明に従った畳表材は、芯材層の下に固着されたゴム材層を備えるのが好ましい。この場合、温水を含ませたタオル等で表面の汚れを除去するとき、裏側にはゴム材層が配置されているので、本発明の畳表材は防水機能を有する。これにより、内部の畳床に水が浸透するのを防止することができる。
【００１３】
さらに、この発明に従った畳表材は、パイル材層の表面上に形成された印刷層を備えるのが好ましい。
【００１４】
また、パイル材層の表面は凹凸面を有するのが好ましい。
【発明の効果】
【００１５】
以上のようにこの発明の畳表材によれば、長期的に畳の新鮮な色調を保つことができるとともに、丸洗いすることなく表面の汚れを容易に除去することができ、耐久性を高めることができる。
【発明を実施するための最良の形態】
【００１６】
図１は、この発明の一つの実施の形態に従った畳表材の構成を分解して示す模式的な断面図である。
【００１７】
図１に示すように、畳表材１は、芯材層として中芯布地（または下地布地）１１と、中芯布地１１の下に接着剤１２によって固着されたゴム材層としてのゴムシート１４と、中芯布地１１の上に接着剤１２によって固着されたパイル材層１３とから構成される。芯材層の材質としては、麻、木綿等の天然繊維および天然素材またはこれらに類似するシート状のもの、合成繊維等を含む合成樹脂製のシート材のもの、天然素材および合成樹脂素材によるパイプ形状を含むい草形状のもの、これらから形成されて製織された畳表類などを挙げることができる。パイル材層１３の材質としては、合成繊維等を含む合成樹脂製のものが好ましいが、天然素材またはこれに類似する素材からなるものであってもよい。図１に示されるパイル材層１３においては、多数のパイルが植え込まれる状態を示すために下地の層が便宜上示されているが、実際のパイル材層には下地の層はない。
【００１８】
中芯布地１１は、たとえば、化学繊維６５％、綿３５％からなる繊維を平織りすることにより製造されたものである。ゴムシート１４は、たとえば、ポリウレタン（ＰＵ）樹脂５０％、ポリ塩化ビニル（ＰＶＣ）樹脂５０％からなる。パイル材層１３は、合成樹脂からなるパイルを無限にあるサイズ種の組み合わせからなる繊維の突出により形成され、表面に太さ０．１〜５Ｄ（デニール）、長さ０．１〜１．０ｍｍの繊維が突出することによりパイルが形成されている。このパイルは、静電気を利用して布地の表面に植え込まれるように付着されている。接着剤１２は、たとえば、水性のポリウレタン（ＰＵ）樹脂系のものが用いられる。
【００１９】
パイル材層１３の表面には、必要に応じて、天然い草で織られた畳表に似せてデザインして、パイル材層の素材であるパイル自体を色染めしたり、または、植毛したパイル材層（原料自体の地色）の表面に印刷したり、植毛したパイル材層の表面に凹凸をつけることにより、畳表柄を含む種々の柄を施している。
【００２０】
上記のように構成された畳表材１を用いて畳を次のようにして製作する。まず、従来の畳表を本発明の畳表材１の下地として縫い付けて、本発明の畳表材１を重ねて畳床の上に縫い付けることにより、従来の畳表と本発明の畳表材１との間の隙間が袋状になる。これにより、本発明の畳表材１はたるむことなく、畳床の下地が表側に見えないようにすることができるので、畳としての美しい風合いを出すことができる。
【００２１】
なお、本発明の畳表材１を、たとえば、畳の縁幅である８０ｍｍ程度に切断したものを畳の縁材として用いてもよい。また、畳縁を装着しない縁なし畳の畳表にも本発明の畳表材１を用いることができる。
【００２２】
以上のように構成された畳表材１を畳の表層材として用いて、パイル材層１３の表面にパイル材層の素材であるパイル自体を色染めしたり、または、植毛したパイル材層（原料自体の地色）の表面に印刷したり、植毛したパイル材層の表面に凹凸をつけることにより、畳表柄を含む種々の柄を施して、長期的に畳の新鮮な色調を保つことができる。具体的には、紫外線によって変色し難い顔料で着色されたパイルを植毛し、植毛されたパイルからなる面、または、植毛された後に印刷されたパイルからなる面に凹凸を形成する、等によって畳表柄等の柄を形成する。したがって、本発明の畳表材１を用いて製作された畳を人が見た場合、天然い草の畳表を用いて製作された畳と見違えるぐらいである。
【００２３】
また、パイル材層１３は表面がパイル状になっているので、温水を含ませたタオル等でパイル材層１３の表面をこすることにより、表面の汚れを容易に除去することができる。たとえば、色素を含んだ液状のものをこぼした場合に生じたシミや汚れを容易に除去することができる。このとき、裏側にはゴムシート１４が配置されているので、本発明の畳表材１は防水機能を有する。これにより、内部の畳床に水が浸透するのを防止することができる。なお、本発明の畳表材１は、ゴムシート１４がなく、下地布地１１とパイル材層１３とから構成されてもよい。
【００２４】
さらに、パイル材層１３は、従来のような自然劣化が起こり難いので、本発明の畳表材１は耐久性を有する。
【００２５】
さらにまた、本発明の畳表材１の表面がパイル材層１３から構成されているので、人は柔らかさを感じることができる。
【００２６】
本発明の畳表材１を畳床の上に装着するとき、表替えの場合は縫い付けてある畳表を本発明の畳表材１の下地にし、新調畳の場合は安価ない草畳表等を本発明の下地に用いて製織することにより、人は従来の畳表と同様の踏み心地を感じることができる。
【００２７】
また、銀の錯体を含む溶液を畳表材１の表面に塗布し、乾燥させることにより、銀イオンを畳表材１に含ませてもよい。この場合、銀イオンが細菌、カビを発生させる糸状菌等を死滅させることができるので、本発明の畳表材１に抗菌性、防カビ性を付与することができる。また、銀イオンは人体に無害であり、細菌、カビを発生させる糸状菌等を死滅させるという効果を長期間にわたって維持することができる。
【００２８】
光触媒効果を有する酸化チタンを含む酸化チタン含有粒子の水溶液を畳表材１の表面に塗布し、乾燥させることにより、酸化チタンを畳表材１に含ませてもよい。この場合、酸化チタンが太陽光や蛍光灯等に含まれる紫外線を受けることによって、室内に活性酸素を発生させ、空気中に含まれている臭気成分、細菌、有害な汚染物質等を分解または死滅させることができる。
【００２９】
さらに、畳表材１を構成する材料に難燃剤を添加することにより、畳表材１に防炎性を付与することができる。
【００３０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３１】
【図１】この発明の一つの実施の形態に従った畳表材の構成を分解して示す模式的な断面図である。
【符号の説明】
【００３２】
１：畳表材、１１：中芯布地（または下地布地）、１２：接着剤、１３：パイル材層、１４：ゴムシート。
【図１】
2006274784.tif 000003